(57)【要約】【課題】断裁機をロール状の被検査物の欠陥を検出する検査装置に連結させて、検査と断裁を一連の作業工程として行うことができ、さらに、断裁機を検査装置とともにインラインで設置して、印刷から検査と断裁までを一連の作業工程として行うこともできるロール状の被検査物のシートカット方法を提供する。【解決手段】ロール状の被検査物を所定の長さ単位で切るシートカット方法を、所定の長さ単位内に被検査物の欠陥がある場合には、切るべき位置で被検査物を切らないようにして、所定の長さ単位に対して倍、例えば２倍や３倍の長さで被検査物を切るようにする。【選択図】図３
2018008819.tif 000002
【特許請求の範囲】
【請求項１】
ロール状の被検査物を所定の長さ単位で切るシートカット方法であって、
前記所定の長さ単位内に被検査物の欠陥がある場合には、切るべき位置で被検査物を切らないことを特徴とするロール状の被検査物のシートカット方法。
【発明の詳細な説明】
【技術分野】
【０００１】
この発明は、ロール状の被検査物のシートカット方法に関し、特に断裁機をロール状の被検査物の欠陥を検出する検査装置に連結させて、検査と断裁を一連の作業工程として行うことができ、さらに、断裁機を検査装置とともにインライン（いままで別工程だった印刷と、検査、断裁などの印刷後の工程をひとつのラインで完了させることをいう。）で設置して、印刷から検査と断裁までを一連の作業工程として行うこともできるロール状の被検査物のシートカット方法に関する。
【背景技術】
【０００２】
ロール状の被検査物のシートカット方法としては、被検査物のラベル印刷面を検査装置で判定して良品ラベルと不良品ラベルとに識別した後、ロール状の被検査物を設定した長さに断裁する方法が提案されている。このシートカット方法では、検査装置と連動して作動する振り分け機構によって、断裁後の被検査物の中で良品ラベルのみが含まれる被検査物を次工程に移送し、不良品ラベルが含まれる被検査物を検査装置から排出することで、不良品ラベルを消費者に供給することがないようにしたものが提案されている（例えば、特許文献１参照）。
【先行技術文献】
【特許文献】
【０００３】
【特許文献１】特開２００３−２４６４９６号公報（段落０００６，００４５、図１）
【発明の概要】
【発明が解決しようとする課題】
【０００４】
しかしながら、前記特許文献１に係るロール状の被検査物のシートカット方法では、振り分け機構によって、不良品ラベルが含まれる被検査物を検査装置から排出、具体的には搬送されてくる被検査物を振り分け板に衝突させて検査装置の下方へ排出しているために、排出される被検査物はぐしゃぐしゃになってしまう。ここで、断裁された被検査物には複数枚のラベルがはく離自在にはり付けられているところ、前記特許文献１に係るロール状の被検査物のシートカット方法では、排出される被検査物はぐしゃぐしゃになってしまうために、被検査物に含まれる良品ラベルまでも廃棄することになってしまう。
【０００５】
また、前記特許文献１に係るロール状の被検査物のシートカット方法では、ロール状の被検査物を設定した長さに断裁した後に、振り分け機構によって不良品ラベルが含まれる被検査物を検査装置から排出しているために、断裁機構とは別に振り分け機構を設けなくてはならず、装置が複雑になってしまう。
【０００６】
さらに、前記特許文献１に係るロール状の被検査物のシートカット方法では、ロール巻きにした被検査物を繰り出して設定した長さに断裁しているために、断裁できるのはロール巻きにした被検査物に限られてしまう。そこで、前記特許文献１に係るロール状の被検査物のシートカット方法は、オフラインでしか使うことができない。
【０００７】
そこで、この発明では、前記した課題を解決し、断裁機をロール状の被検査物の欠陥を検出する検査装置に連結させて、検査と断裁を一連の作業工程として行うことができ、さらに、断裁機を検査装置とともにインラインで設置して、印刷から検査と断裁までを一連の作業工程として行うこともできるロール状の被検査物のシートカット方法を提供することを目的とする。
【課題を解決するための手段】
【０００８】
前記課題を解決するため、請求項１に係る発明では、ロール状の被検査物を所定の長さ単位で切るシートカット方法を、所定の長さ単位内に被検査物の欠陥がある場合には、切るべき位置で被検査物を切らないようにした。
【発明の効果】
【０００９】
請求項１に係る発明によれば、ロール状の被検査物を所定の長さ単位で切るシートカット方法を、所定の長さ単位内に被検査物の欠陥がある場合には、切るべき位置で被検査物を切らないようにしたので、所定の長さ単位内に被検査物の欠陥がある場合には、所定の長さ単位に対して倍、例えば２倍や３倍の長さで被検査物が切られることになる。そこで、請求項１に係る発明によれば、倍の長さの被検査物が付せんの役割を果たすので、ロール状被検査物を断裁し終えた後に、断裁した被検査物の束から欠陥のある被検査物を容易にかつ確実に見つけることができる。そして、請求項１に係る発明によれば、欠陥のある被検査物が所定の長さ、言い換えると商品基準の長さとは異なる長さ、それも基準の長さよりも倍も長くなり目立つので、欠陥のある被検査物が商品として供給されることを確実に防ぐことができる。
【００１０】
また、請求項１に係る発明によれば、断裁した被検査物の束から欠陥のある被検査物を容易にかつ確実に見つけることができるので、被検査物の欠陥があっても断裁を中断しなくてすむ。そこで、請求項１に係る発明によれば、断裁機を検査装置に連結させて、検査と断裁を一連の作業工程として行うことができる。
【００１１】
ここで、従来のシートカット方法は、単にロール状の被検査物を所定の長さ単位で切るものであり、ロール状の被検査物には欠陥がないことを前提としている。そのため、従来のシートカット方法には、断裁した被検査物の束から欠陥のある被検査物を見つけるという動機づけがない。より詳しく説明すると、従来のシートカット方法では、断裁をする前に検査を行っており、検査済みの欠陥がないロール状の被検査物のみを断裁するものである。そのため、従来のシートカット方法では、検査と断裁を別の工程で、言い換えると検査と断裁の２工程で行わざる負えない。しかし、請求項１に係る発明によれば、検査と断裁の２工程で行っていたものが、検査と断裁を一連の作業工程として行うことができる。
【００１２】
また、従来のシートカット方法では、仮に断裁機を検査装置に連結させられても、断裁した被検査物の束から欠陥のある被検査物を見つけられないために、検査装置で被検査物の欠陥（不良品ラベルともいう。）が検出されると断裁を中断し、不良品ラベルを良品ラベルにはり替えて断裁を再開しなくてはならず、作業員が断裁機に付き切りになってしまう。しかし、請求項１に係る発明によれば、被検査物の欠陥があっても断裁を中断しなくてすむので、作業員が断裁機のそばを離れることができる。
【００１３】
さらに、請求項１に係る発明によれば、被検査物の欠陥があっても断裁を中断しなくてすむので、断裁機を出願人による先の出願（特願２０１６−１１２２９８号のことをいう。）に係るロール状の被検査物の検査装置に連結させて、断裁機を検査装置とともにインラインで設置して、印刷から検査と断裁までを一連の作業工程として行うことができる。そこで、請求項１に係る発明によれば、印刷と検査と断裁の３工程で行っていたものが、印刷から検査と断裁までを一連の作業工程として行うことができる。
【００１４】
ここで、本願発明の効果を、前記特許文献１に係るロール状の被検査物のシートカット方法と対比して説明する。一般に、ロール状の被検査物には一列ごとに複数枚のラベルがはく離自在にはり付けられ、所定の長さ単位内の被検査物には多数のラベルがはく離自在に張り付けられているところ、請求項１に係る発明によれば、所定の長さ単位内に被検査物の欠陥（不良品ラベルともいう。）がある場合には、切るべき位置で被検査物を切らないようにしたので、所定の長さ単位内に不良品ラベルが含まれる場合には、例えば２倍の長さで被検査物が切られることになる。この２倍の長さの被検査物は、断裁した被検査物の束から抜き取られるところ、所定の長さ単位内に含まれる不良品ラベルを良品ラベルにはり替えると、欠陥のない被検査物として使うことができる。この場合に、請求項１に係る発明によれば、所定の長さ単位に対して倍、例えば２倍や３倍の長さで被検査物が切られることになるので、不良品ラベルを良品ラベルにはり替えた後に、所定の長さ単位で断裁し直すと、良品ラベルを一枚も無駄にすることもなく、欠陥のない被検査物として使うことができる。
【００１５】
また、請求項１に係る発明によれば、断裁機の発明ではなく、シートカット方法の発明をしたので、現在保有している断裁機であっても、断裁機によってはわずかな改造で本願発明のシートカット方法を採用することもできる。
【図面の簡単な説明】
【００１６】
【図１】実施形態に係るロール状の被検査物のシートカット方法を行う装置構成を説明する側面図である。
【図２】（ａ）は実施形態に係るロール状の被検査物のシートカット方法を説明する模式図のうち、良品の被検査物を断裁した状態を示す模式図であり、（ｂ）と（ｃ）は不良品を含む被検査物を断裁した状態を示す模式図である。
【図３】実施形態に係るロール状の被検査物のシートカット方法によって断裁した状態を示す被検査物の斜視図である。
【図４】実施形態に係るロール状の被検査物のシートカット方法を行う、他の装置構成を説明する側面図である。
【発明を実施するための形態】
【００１７】
まず、この発明の創作の基礎となる事項について簡単に説明する。出願人は、シール・ラベル検査装置のメーカーであり、シール・ラベル印刷業界の検査装置や仕上げ装置に携わること約３０年、業界での豊富な経験を有している。そして、出願人は、国内に限らず海外にも多くのブレーンを持ち、自社周辺の限定的な情報に限らず、国境や業界の壁を越えた幅広いブレーンで、お客様からの様々なご相談に迅速に対応してきた。
【００１８】
出願人は、オーダーメード方式によって、お客様ごとに異なる様々な仕様の装置をお届けし続けていることを自慢の一つと考えている。そして、出願人は、「お客様が既存の装置を選んで導入される」のではなく、「お客様それぞれの仕様に合わせた装置をお届けする」ことによって、無理や無駄がなく使い勝手の良い装置をお使いいただくことに心掛けている。この発明は、まさに無理や無駄がなく使い勝手の良い装置をお使いいただきたいとの思いから創作されたものである。
【００１９】
発明者は、日ごろからお客様には無理や無駄がなく使い勝手の良い装置をお使いいただきたいと思っているところ、発明者による先の出願においてシール・ラベル検査装置をインラインでもオフラインでも設置でき、様々な印刷機や後加工機にも対応させられるロール状の被検査物の検査装置を開発した。そして、発明者は、検査装置をインラインで設置して、印刷と検査を一連の作業工程として行えることについて、お客様から喜びの声を頂いた。
【００２０】
そこで、発明者は、開発したロール状の被検査物の検査装置をお客様により喜んでいただくため、検査装置とともにインラインで設置でき、印刷から検査と断裁までを一連の作業工程として行うこともできる断裁機の開発に取り組んだ。
【００２１】
発明者は、お客様が断裁機（「シートカッター」ともいう。）をお持ちであることに着目し、現有の断裁機を活用することを考えた。そして、発明者は、ロール状の被検査物の断裁機が、断裁し忘れがないように制御されているところ、検査装置での判定結果に基づいて断裁の有無を制御するようにすれば、断裁した後に、所定の長さで断裁されていないものを見つけやすいことを見いだし、この発明を創作するに至ったものである。
【００２２】
次に、この発明の実施形態について、適宜図面を参照しながら詳細に説明する。図１は、実施形態に係るロール状の被検査物のシートカット方法を行う装置構成を説明する側面図である。この発明に係るロール状の被検査物のシートカット方法は、断裁機Ｃ１で行われる。そして、図１に示すように、この発明に係るロール状の被検査物のシートカット方法は、断裁機Ｃ１を先の出願に係るロール状の被検査物の検査装置Ｅ１とともに印刷機Ｐに連結させて、印刷から検査と断裁までを一連の作業工程として行う場合に好適である。
【００２３】
断裁機Ｃ１は、ロール状の被検査物を所定の長さ単位で切る機械で、一般にシートカッターと呼ばれている。断裁機Ｃ１は、図示しないカッター部にロール状の被検査物Ｒを送る駆動ローラーＣ２と、断裁機Ｃ１に送られてくる被検査物Ｒのたるみ具合を検知するセンサーＣ３と、検査装置Ｅ１の判定結果を受信するケーブルＣ４とを有して構成されている。
【００２４】
次に、ロール状の被検査物の検査装置Ｅ１について説明する。図１に示すように、ロール状の被検査物の検査装置Ｅ１は、ロール状の被検査物Ｒの所定の検査領域を画像として取得する画像取得手段Ｅ２と、画像取得手段Ｅ２で取得した画像をあらかじめ登録された基準画像と対比して被検査物Ｒの欠陥の有無を判定する判定手段Ｅ３と、画像取得手段Ｅ２に被検査物Ｒを送る被検査物送り手段Ｅ４とを有して構成されている。そして、ロール状の被検査物の検査装置Ｅ１は、検査装置Ｅ１に送られてくる被検査物Ｒのたるみ具合を検知するセンサーＥ５を備え、被検査物送り手段Ｅ４が、センサーＥ５で検知された被検査物Ｒのたるみ具合に基づいて制御されるようになっている。また、ロール状の被検査物の検査装置Ｅ１は、巻き取られた状態の被検査物をセットするための原反巻き出しシャフトＥ８が取り外し可能に設けられている。
【００２５】
画像取得手段Ｅ２は、被検査物Ｒの所定の検査領域を画像として取得する手段であり、ここではカメラと図示しない照明とを有して構成されている。画像取得手段Ｅ２は、被検査物Ｒの所定の検査領域に印刷されている文字や絵など、また被検査物Ｒの所定の検査領域そのものを画像として取得する。そして、画像取得手段Ｅ２によって取得された画像は、判定手段Ｅ３に送られる。なお、被検査物Ｒの所定の検査領域そのものを画像として取得すると、被検査物Ｒそのものの欠陥を検出できる。
【００２６】
判定手段Ｅ３は、画像取得手段Ｅ２で取得した画像をあらかじめ登録された基準画像と対比して被検査物Ｒの欠陥の有無を判定する手段であり、ここではパソコンを有して構成されている。そして、判定手段Ｅ３は、判定の結果をタッチパネル６Ｅに表示するとともに、ケーブルＣ４を通じて断裁機Ｃ１に送信するように構成されている。
【００２７】
被検査物送り手段Ｅ４は、画像取得手段Ｅ２にロール状の被検査物Ｒを送る手段であり、ここではインフィードローラーＥ４ａとアウトフィードローラーＥ４ｂとを有して構成されている。ここで、インフィードローラーＥ４ａは、ロール状の被検査物Ｒを給紙側からガイド板Ｅ７を経て画像取得手段Ｅ２に送るために設けられた駆動ローラーである。また、アウトフィードローラーＥ４ｂは、ロール状の被検査物Ｒを画像取得手段Ｅ２から排紙側に送るために設けられた駆動ローラーである。そして、実施形態に係るロール状の被検査物の検査装置Ｅ１では、アウトフィードローラーＥ４ｂをインフィードローラーＥ４ａよりもわずかに速く回転させて、画像取得手段Ｅ２にピンと張った状態のロール状の被検査物Ｒを送ることで、画像取得手段Ｅ２が適正な画像を取得できるようになっている。
【００２８】
センサーＥ５は、検査装置Ｅ１に送られてくるロール状の被検査物Ｒのたるみ具合を検知する検出器であり、ここではガイド板Ｅ７の下方に設けられている。センサーＥ５は、ロール状の被検査物Ｒのたるみ具合、より詳しくはセンサーＥ５から投光された光が被検査物Ｒによってさえぎられることで、被検査物Ｒに所望のたるみがあることを検出している。そして、実施形態に係るロール状の被検査物の検査装置Ｅ１では、被検査物送り手段Ｅ４が、センサーＥ５で検知された被検査物Ｒのたるみ具合に基づいて制御されるようになっている。
【００２９】
原反巻き出しシャフトＥ８は、巻き取られた状態の被検査物をセットするための軸であり、図１に示すような、印刷機から排紙された帯状のままの被検査物Ｒについてその欠陥を検出する場合には取り外せるようになっている。
【００３０】
図２は、実施形態に係るロール状の被検査物のシートカット方法を説明する模式図である。そして、図２の（ａ）は、良品の被検査物を断裁した状態を示す模式図であり、図２の（ｂ）と（ｃ）は、不良品を含む被検査物を断裁した状態を示す模式図である。
【００３１】
図２の（ａ）に示すように、実施形態に係るロール状の被検査物のシートカット方法では、ロール状の被検査物Ｒを所定の長さ単位、ここではロール状の被検査物Ｒに一列ごとに３枚のラベルＬがはく離自在にはり付けられているところ、ラベルＬの３列ごとにロール状の被検査物Ｒを切るようになっている（図中、実線は切ることを示す。）。そして、実施形態に係るロール状の被検査物のシートカット方法では、検査装置Ｅ１（図１参照）から、所定の長さ単位内に被検査物の欠陥があるとの信号がない場合には、所定の長さ単位、ここではラベルＬの３列ごとにロール状の被検査物Ｒを切るようになっている。
【００３２】
図２の（ｂ）と（ｃ）に示すように、実施形態に係るロール状の被検査物のシートカット方法では、ラベルＬの３列内に被検査物の欠陥、ここでは不良品ラベルＬｂがある場合、言い換えると所定の長さ単位内に被検査物の欠陥があるとの信号を受けた場合には被検査物Ｒを切らないようになっている（図中、破線は切らないことを示す。）。そして、図２の（ｂ）と（ｃ）に示すように、実施形態に係るロール状の被検査物のシートカット方法では、ラベルＬの３列内に不良品ラベルＬｂがなくなると、言い換えると所定の長さ単位内に被検査物の欠陥があるとの信号がなくなると、ロール状の被検査物Ｒを切るようになっている。
【００３３】
図３は、実施形態に係るロール状の被検査物のシートカット方法によって断裁した状態を示す被検査物の斜視図である。図３に示すように、実施形態に係るロール状の被検査物のシートカット方法では、所定の長さ単位内に被検査物の欠陥がある場合には、切るべき位置で被検査物を切らないようにしたので、被検査物の欠陥、ここでは不良品ラベルＬｂを含む検査物は、所定の長さ単位に対して倍の長さになる。そこで、不良品ラベルＬｂを含む検査物は、断裁されたロール状の被検査物Ｒｃの束からはみ出ている。
【００３４】
そして、実施形態に係るロール状の被検査物のシートカット方法では、断裁されたロール状の被検査物Ｒｃの束からはみ出ている不良品ラベルＬｂを含む検査物を抜き取ると、欠陥のない被検査物のみの束になる。ここで、断裁機Ｃ１（図１参照）にカウンターを設けて、所定の長さ単位に切られた被検査物の枚数を数えるようにしておくと、はみ出ている不良品ラベルＬｂを含む検査物を抜き取るだけで、所定の枚数の束になる。
【００３５】
図４は、実施形態に係るロール状の被検査物のシートカット方法を行う、他の装置構成を説明する側面図である。図４に示すように、実施形態に係るロール状の被検査物のシートカット方法を行う、他の装置構成では、原反巻き出しシャフトＥ８に巻き取られた状態のロール状の被検査物Ｒをセットして、オフラインで被検査物Ｒの検査と断裁を一連の作業工程として行う。
【００３６】
この発明においてロール状の被検査物Ｒとは、枚葉紙（シートともいう。）と反対の関係にあるもので、一定のサイズに断裁されていないもの、連続したものをいう。
【符号の説明】
【００３７】
Ｒｃ  断裁されたロール状の被検査物
Ｌ    ラベル
Ｌｂ  不良品ラベル
【図１】
2018008819.tif 000003
【図２】
2018008819.tif 000004
【図３】
2018008819.tif 000005
【図４】
2018008819.tif 000006